(57)【要約】【課題】  少量の接着剤でコリメートレンズの固定を確実に行うこと。【解決手段】  所定間隔の空隙１４をおいて環状に配列した複数の円弧片４Ａからなるレンズ受座４が光通過孔３よりも大径且つ同心状態でオプチベース１の端面１ａに一体形成され、該レンズ受座４内にコリメートレンズＱＷＰが配置され、前記各空隙１４を周方向に沿って仕切る堰１７がオプチベース１に一体形成され、その各空隙１４の堰１７より内側が充填凹部１８とされ、該各充填凹部１８の両内側面１８ａ，１８ｂが光通過孔３に向けて外広がり状に傾斜され、前記各充填凹部１８の底面１８ｃを堰１７側から光通過孔３に向けて斜め下向きに傾斜させることにより、該各充填凹部１８の縦断面形状が略三角形に形成され、その各充填凹部１８に接着剤ＵＶを充填することによりコリメートレンズＱＷＰがレンズ受座４に固定されている。【選択図】        図３
2007149245.tif 000002
【特許請求の範囲】
【請求項１】
合成樹脂製オプチベースの端面に対物レンズユニットが配置されると共に、該対物レン
ズユニットに対向して前記オプチベースに光通過孔が形成され、所定間隔の空隙を間に挟
んで環状に配列した複数の円弧片からなるレンズ受座が前記光通過孔よりも大径且つ同心
状態で前記オプチベースの端面に一体形成され、該レンズ受座内にコリメートレンズが配
置され、前記各空隙に接着剤を充填することにより前記コリメートレンズがレンズ受座に
固定されており、レーザ光をコリメートレンズ及び対物レンズユニットの対物レンズを通
してディスクに投射し、その反射光に基づいてディスクに記録されている情報を読み取る
ようにした光ピックアップにおいて、前記各空隙を周方向に沿って仕切る堰がオプチベー
スに一体形成され、その各空隙の堰より内側が充填凹部とされ、該各充填凹部の両内側面
が光通過孔に向けて外広がり状に傾斜され、前記各充填凹部の底面を堰側から光通過孔に
向けて斜め下向きに傾斜させることにより、その各充填凹部の縦断面形状が略三角形に形
成され、前記各充填凹部の両内側面からその底面にかけて円弧状に形成することにより、
その各充填凹部の横断面形状が下すぼまりの略Ｕ字形に形成され、前記各充填凹部の両内
側面から奥端縁にかけて円弧状に形成することにより、該各充填凹部の平面形状が奥すぼ
まりの略Ｕ字形に形成されており、その各充填凹部に接着剤が充填されていることを特徴
とする光ピックアップ。
【請求項２】
合成樹脂製オプチベースの端面に対物レンズユニットが配置されると共に、該対物レン
ズユニットに対向して前記オプチベースに光通過孔が形成され、所定間隔の空隙を間に挟
んで環状に配列した複数の円弧片からなるレンズ受座が前記光通過孔よりも大径且つ同心
状態で前記オプチベースの端面に一体形成され、該レンズ受座内にコリメートレンズが配
置され、前記各空隙に接着剤を充填することにより前記コリメートレンズがレンズ受座に
固定されており、レーザ光をコリメートレンズ及び対物レンズユニットの対物レンズを通
してディスクに投射し、その反射光に基づいてディスクに記録されている情報を読み取る
ようにした光ピックアップにおいて、前記各空隙を周方向に沿って仕切る堰がオプチベー
スに一体形成され、その各空隙の堰より内側が充填凹部とされ、該各充填凹部の両内側面
が光通過孔に向けて外広がり状に傾斜され、前記各充填凹部の底面を堰側から光通過孔に
向けて斜め下向きに傾斜させることにより、その各充填凹部の縦断面形状が略三角形に形
成されており、その各充填凹部に接着剤が充填されていることを特徴とする光ピックアッ
プ。
【請求項３】
前記各充填凹部の両内側面からその底面にかけて円弧状に形成することにより、その各
充填凹部の横断面形状が下すぼまりの略Ｕ字形に形成され、前記各充填凹部の両内側面か
ら奥端縁にかけて円弧状に形成することにより、その各充填凹部の平面形状が奥すぼまり
の略Ｕ字形に形成されていることを特徴とする請求項２に記載の光ピックアップ。
【発明の詳細な説明】
【技術分野】
【０００１】
本発明は、例えばディスク装置（ＤＶＤレコーダやＤＶＤプレーヤなど）に使用される
光ピックアップに関し、特に、少量の接着剤でコリメートレンズの固定を確実に行うこと
ができるようにしたものである。
【背景技術】
【０００２】
従来、光ピックアップの技術として特許文献１などに記載したものがあり、その一例を
図４に基づいて説明すると、合成樹脂製オプチベース１の端面１ａに対物レンズユニット
２が配置されると共に、該対物レンズユニット２に対向して前記オプチベース１に光通過
孔３が形成され、該光通過孔３よりも大径且つ同心状態のレンズ受座４が前記オプチベー
ス１の端面１ａに一体形成され、該レンズ受座４内にコリメートレンズＱＷＰが配置され
ている。なお、５はオプチベース１の一側縁に一体形成したラックであって、該ラック５
に噛合するピニオン（図示せず）を正逆回転させることにより、オプチベース１をディス
クＤの半径方向に沿って往復移動させる。
【０００３】
前記対物レンズユニット２は、下面に一体突設した突起部６ａをオプチベース１の端面
１ａに一体形成した受支台１ｂに揺動可能に係合させることにより、該オプチベース１の
端面１ａ上に所定間隔αをおいて配置されたアクトベース６を有し、該アクトベース６の
ほぼ中央に立設したシャフト７に沿って摺動及び揺動可能なレンズホルダ８に対物レンズ
ＯＬが配置され、該レンズホルダ８のボス部８ａにフォーカスコイル９と磁性片１０とが
外嵌されると共に、そのレンズホルダ８の外側面にトラッキングコイル（図示せず）が固
着され、レンズホルダ８を間に挟んで一対のマグネット（図示せず）がアクトベース６か
ら起立する左右一対の側板部にそれぞれ固着されている。なお、１２はアクトベース６を
オプチベース１の端面１ａに固定する紫外線硬化性接着剤である。
【０００４】
上記構成において、両マグネットと磁性片１０との間で作用する磁気ばねによりレンズ
ホルダ８を浮かせた状態で、プリント配線１１を介してフォーカスコイル９に通電するこ
とにより、レンズホルダ８をシャフト７に沿ってフォーカス方向ａ，ｂに摺動させると共
に、トラッキングコイルに通電することにより、レンズホルダ８をシャフト回りでトラッ
キング方向に揺動させ、半導体レーザ（図示せず）からレーザ光をコリメートレンズＱＷ
Ｐ及び対物レンズＯＬを通してディスクＤに投射し、その反射光に基づいてディスクＤに
記録されている情報を読み取る。
【０００５】
従来、前記レンズ受座４にコリメートレンズＱＷＰを固定する技術の一例として図５〜
図７に示すものがある。これは、前記レンズ受座４が所定間隔β（例えば光通過孔３の中
心Ｏから１５°）の空隙１４を間に挟んで環状に配列した複数（この例では３つ）の円弧
片４Ａにより形成され、該レンズ受座４内にコリメートレンズＱＷＰが配置され、接着剤
充填器のノズル１３から前記各空隙１４に紫外線硬化性接着剤ＵＶを充填し、紫外線を照
射して該接着剤ＵＶを硬化させることにより、コリメートレンズＱＷＰがレンズ受座４に
３点接着により固定されている。
【特許文献１】特開２００３−３１７２６５号公報
【発明の開示】
【発明が解決しようとする課題】
【０００６】
上記従来の構成では、コリメートレンズＱＷＰの材質〔例えばオレフィン系樹脂〕及び
オプチベース１の材質〔例えばＰＰＳ（ポリフェニレンスルフィド）〕と紫外線硬化性接
着剤ＵＶとの材質が異なることから、環境試験で例えば−２０°Ｃの環境に置くと、それ
ら各材質の伸縮率の相違により、コリメートレンズＱＷＰから接着剤ＵＶが剥がれて、そ
のコリメートレンズＱＷＰに対しての接着強度が低下することがある。
【０００７】
そこで、各空隙１４の開口幅ｔを大きくして、その開口幅ｔと開口高さｈとの積である
開口面積（ｔ×ｈ）を大きく設定することにより、接着剤ＵＶとコリメートレンズＱＷＰ
との接触範囲を広げることが考えられるが、このように各空隙１４の開口面積（ｔ×ｈ）
を単純に広げると、その広げた分だけ該各空隙１４の容積も大きくなって、その各空隙１
４に接着剤ＵＶが比較的大量に充填され、その比較的大量に充填した接着剤ＵＶの硬化収
縮により、コリメートレンズＱＷＰに歪みや収差が生じるおそれがある。
【０００８】
また、各空隙１４の底面１４ａが水平であるため、その底面１４ａ上に充填した接着剤
ＵＶをコリメートレンズＱＷＰ側に積極的に流動させる機能が無く、その充填した接着剤
ＵＶとコリメートレンズＱＷＰとの接触が不確実になるおそれもある。
【０００９】
更に、図７（ｂ）に示すように、各空隙１４の底面１４ａと内側面１４ｂ，１４ｃとの
間に角形状コーナ部があるため、接着剤ＵＶを充填したときに、空隙１４内の空気が完全
に逃げきれずに前記コーナ部に溜まって、空気溜まり１５を形成することがあり、その空
気溜まり１５によって、接着剤ＵＶによる接着力が低下すると共に、温度変化により空気
溜まり１５が拡張収縮されて、コリメートレンズＱＷＰに歪みや収差が生じるおそれがあ
る。
【００１０】
本発明は、上記従来の欠点に鑑み、少量の接着剤でコリメートレンズの固定を確実に行
うことができるようにした光ピックアップを提供することを目的としている。
【課題を解決するための手段】
【００１１】
上記目的を達成するため、請求項１に記載の発明は、合成樹脂製オプチベースの端面に
対物レンズユニットが配置されると共に、該対物レンズユニットに対向して前記オプチベ
ースに光通過孔が形成され、所定間隔の空隙を間に挟んで環状に配列した複数の円弧片か
らなるレンズ受座が前記光通過孔よりも大径且つ同心状態で前記オプチベースの端面に一
体形成され、該レンズ受座内にコリメートレンズが配置され、前記各空隙に接着剤を充填
することにより前記コリメートレンズがレンズ受座に固定されており、レーザ光をコリメ
ートレンズ及び対物レンズユニットの対物レンズを通してディスクに投射し、その反射光
に基づいてディスクに記録されている情報を読み取るようにした光ピックアップにおいて
、前記各空隙を周方向に沿って仕切る堰がオプチベースに一体形成され、その各空隙の堰
より内側が充填凹部とされ、該各充填凹部の両内側面が光通過孔に向けて外広がり状に傾
斜され、前記各充填凹部の底面を堰側から光通過孔に向けて斜め下向きに傾斜させること
により、その各充填凹部の縦断面形状が略三角形に形成され、前記各充填凹部の両内側面
からその底面にかけて円弧状に形成することにより、その各充填凹部の横断面形状が下す
ぼまりの略Ｕ字形に形成され、前記各充填凹部の両内側面から奥端縁にかけて円弧状に形
成することにより、該各充填凹部の平面形状が奥すぼまりの略Ｕ字形に形成されており、
その各充填凹部に接着剤が充填されていることを特徴としている。
【００１２】
請求項２に記載の発明は、合成樹脂製オプチベースの端面に対物レンズユニットが配置
されると共に、該対物レンズユニットに対向して前記オプチベースに光通過孔が形成され
、所定間隔の空隙を間に挟んで環状に配列した複数の円弧片からなるレンズ受座が前記光
通過孔よりも大径且つ同心状態で前記オプチベースの端面に一体形成され、該レンズ受座
内にコリメートレンズが配置され、前記各空隙に接着剤を充填することにより前記コリメ
ートレンズがレンズ受座に固定されており、レーザ光をコリメートレンズ及び対物レンズ
ユニットの対物レンズを通してディスクに投射し、その反射光に基づいてディスクに記録
されている情報を読み取るようにした光ピックアップにおいて、前記各空隙を周方向に沿
って仕切る堰がオプチベースに一体形成され、その各空隙の堰より内側が充填凹部とされ
、該各充填凹部の両内側面が光通過孔に向けて外広がり状に傾斜され、前記各充填凹部の
底面を堰側から光通過孔に向けて斜め下向きに傾斜させることにより、その各充填凹部の
縦断面形状が略三角形に形成されており、その各充填凹部に接着剤が充填されていること
を特徴としている。
【００１３】
請求項３に記載の発明は、請求項２に記載の発明において、前記各充填凹部の両内側面
からその底面にかけて円弧状に形成することにより、その各充填凹部の横断面形状が下す
ぼまりの略Ｕ字形に形成され、前記各充填凹部の両内側面から奥端縁にかけて円弧状に形
成することにより、その各充填凹部の平面形状が奥すぼまりの略Ｕ字形に形成されている
ことを特徴としている。
【発明の効果】
【００１４】
請求項１に記載の発明は実施の一形態（図１〜図３参照）に対応するものであって、こ
れによれば、各充填凹部の両内側面が外広がり状に傾斜されて、該各充填凹部の開口幅が
広く設定されており、その開口幅と開口高さとの積である開口面積を大きくしているが、
その各充填凹部の縦断面形状が略三角形に形成されて、その容積が小さくされているから
、開口面積が大きい割りには各充填凹部に対する接着剤の充填量が少量で済み、その少量
の接着剤によりコリメートレンズの固定を確実に行うことができると共に、接着剤の硬化
収縮によるコリメートレンズの歪みや収差による悪影響を極めて小さくすることができる
また、各充填凹部の底面が堰側から光通過孔に向けて斜め下向きに傾斜されており、そ
の傾斜状底面に沿って充填した接着剤をコリメートレンズ側に積極的に流動させるから、
その充填した接着剤とコリメートレンズとを確実に接触させて、該コリメートレンズの固
定を強固に行うことができる。
【００１５】
更に、各充填凹部の横断面形状が下すぼまりの略Ｕ字形に形成されると共に、該各充填
凹部の平面形状が奥すぼまりの略Ｕ字形に形成されて、その各充填凹部の内面に従来の角
形状コーナ部に相当するものが存在しないから、接着剤を充填したときに、各充填凹部内
の空気が円弧状内側面に沿って円滑に逃がされ、その各充填凹部内に従来のように空気溜
まりが形成されることが無い。従って、空気溜まりによる接着剤の接着力低下や空気溜ま
りの温度変化による拡張収縮でコリメートレンズに歪みや収差が生じるという難点を解消
することができる。
【００１６】
請求項２に記載の発明は基本形態に対応するものであって、これによれば、各充填凹部
の両内側面が外広がり状に傾斜されて、該各充填凹部の開口幅が広く設定されており、そ
の開口幅と開口高さとの積である開口面積を大きくしているが、その各充填凹部の縦断面
形状が略三角形に形成されて、その容積が小さくされているから、開口面積が大きい割り
には各充填凹部に対する接着剤の充填量が少量で済み、その少量の接着剤によりコリメー
トレンズの固定を確実に行うことができると共に、接着剤の硬化収縮によるコリメートレ
ンズの歪みや収差による悪影響を極めて小さくすることができる。
【００１７】
また、各充填凹部の底面が堰側から光通過孔に向けて斜め下向きに傾斜されており、そ
の傾斜状底面に沿って充填した接着剤をコリメートレンズ側に積極的に流動させるから、
その充填した接着剤とコリメートレンズとを確実に接触させて、該コリメートレンズの固
定を強固に行うことができる。
【００１８】
請求項３の記載の発明によれば、各充填凹部の横断面形状が下すぼまりの略Ｕ字形に形
成されると共に、該各充填凹部の平面形状が奥すぼまりの略Ｕ字形に形成されて、その各
充填凹部の内面に従来の角形状コーナ部に相当するものが存在しないから、接着剤を充填
したときに、各充填凹部内の空気が円弧状内側面に沿って円滑に逃がされ、その各充填凹
部内に従来のように空気溜まりが形成されることが無い。従って、空気溜まりによる接着
剤の接着力低下や空気溜まりの温度変化による拡張収縮でコリメートレンズに歪みや収差
が生じるという難点を解消することができる。
【発明を実施するための最良の形態】
【００１９】
図１〜図３は本発明の実施の一形態である光ピックアップの要部を示すものであって、
レンズ受座４を形成する各円弧片４Ａ間の空隙１４を周方向に沿って仕切る堰１７がオプ
チベース１に一体形成され、その各空隙１４の堰１７より内側が充填凹部１８とされ、該
各充填凹部１８の両内側面１８ａ，１８ｂが光通過孔３に向けて外広がり状に傾斜され、
前記各充填凹部１８の底面１８ｃを堰１７の上端面から光通過孔３に向けて斜め下向きに
傾斜させることにより、その各充填凹部１８の縦断面形状が略三角形に形成され〔図３（
ａ）参照〕、前記各充填凹部１８の両内側面１８ａ，１８ｂからその底面１８ｃに向けて
円弧状に形成することにより、その各充填凹部１８の横断面形状が下すぼまりの略Ｕ字形
に形成され〔図３（ｂ）参照〕、前記各充填凹部１８の両内側面１８ａ，１８ｂから奥端
縁１８ｄにかけて円弧状に形成することにより、その各充填凹部１８の平面形状が奥すぼ
まりの略Ｕ字形に形成されている〔図３（ｃ）参照〕。上記以外の構成は図４〜図７に示
す構成とほぼ同じであるから、同一部分に同一符号を付してその説明を省略する。
【００２０】
コリメートレンズＱＷＰの固定手順を説明すると、レンズ受座４内にコリメートレンズ
ＱＷＰを配置し、接着剤充填器のノズル１３から各充填凹部１８内に紫外線硬化性接着剤
ＵＶを充填し、紫外線を照射して該接着剤ＵＶを硬化させることにより、コリメートレン
ズＱＷＰをレンズ受座４に３点接着により固定する。
【００２１】
上記構成によれば、図２に示すように、各空隙１４の堰１７よりも内側に形成した各充
填凹部１８の両内側面１８ａ，１８ｂが外広がり状に傾斜されて、該各充填凹部１８の開
口幅ｔが広く設定されており、その開口幅ｔと開口高さｈとの積である開口面積（ｔ×ｈ
）を大きくしているが、図３（ａ）に示すように、各充填凹部１８の縦断面形状が略三角
形に形成されて、その容積が小さくされているから、開口面積（ｔ×ｈ）が大きい割りに
は各充填凹部１８に対する接着剤ＵＶの充填量が少量で済み、その少量の接着剤ＵＶによ
りコリメートレンズＱＷＰの固定を確実に行うことができると共に、接着剤ＵＶの硬化収
縮によるコリメートレンズＱＷＰの歪みや収差による悪影響を極めて小さくすることがで
きる。
【００２２】
また、図３（ａ）に示すように、各充填凹部１８の底面１８ｃが堰１７側から光通過孔
３に向けて斜め下向きに傾斜されており、その傾斜状底面１８ｃに沿って充填した接着剤
ＵＶをコリメートレンズＱＷＰ側に積極的に流動させるから、その充填した接着剤ＵＶと
コリメートレンズＱＷＰとを確実に接触させて、該コリメートレンズＱＷＰの固定を強固
に行うことができる。
【００２３】
更に、図３（ｂ）に示すように、各充填凹部１８の横断面形状が下すぼまりの略Ｕ字形
に形成されると共に、図３（ｃ）に示すように、各充填凹部１８の平面形状が奥すぼまり
の略Ｕ字形に形成されて、その各充填凹部の内面に従来の角形状コーナ部に相当するもの
が存在しないから、接着剤ＵＶを充填したときに、各充填凹部１８内の空気が円弧状内側
面１８ａ，１８ｂに沿って円滑に逃がされ、その各充填凹部１８内に従来のように空気溜
まり１５〔図７（ｂ）参照〕が形成されることが無い。従って、空気溜まり１５による接
着剤ＵＶの接着力低下や空気溜まり１５の温度変化による拡張収縮でコリメートレンズＱ
ＷＰに歪みや収差が生じるという難点を解消することができる。
【図面の簡単な説明】
【００２４】
【図１】本発明の実施の一形態である光ピックアップの要部を示す平面図である。
【図２】同要部の拡大斜視図である。
【図３】（ａ）は図１のＡ−Ａ矢視図、（ｂ）はＢ−Ｂ矢視図、（ｃ）はＣ−Ｃ矢視図である。
【図４】光ピックアップを示す縦断面図である。
【図５】従来例を示す要部の平面図である。
【図６】同要部の拡大斜視図である。
【図７】（ａ）は図５のＤ−Ｄ矢視図、（ｂ）はＥ−Ｅ矢視図、（ｃ）はＦ−Ｆ矢視図である。
【符号の説明】
【００２５】
１              オプチベース
２              対物レンズユニット
３              光通過孔
４              レンズ受座
４Ａ            円弧片
１４            空隙
１７            堰
１８            充填凹部
１８ａ，１８ｂ  充填凹部の内側面
１８ｃ          充填凹部の底面
ＱＷＰ          コリメートレンズ
ＵＶ            紫外線硬化性接着剤
【図１】
2007149245.tif 000003
【図２】
2007149245.tif 000004
【図３】
2007149245.tif 000005
【図４】
2007149245.tif 000006
【図５】
2007149245.tif 000007
【図６】
2007149245.tif 000008
【図７】
2007149245.tif 000009